(57)【要約】【課題】保管ケースと記録再生装置との間の手作業による移動が繰り返されても、内周穴部分の形状に変化や破損が生じることがない可撓性光ディスクを、情報記録媒体して提供すること。【解決手段】基板平均厚みが１００μｍの可撓性光ディスク基板の中央部に、内径φ１５ｍｍ、外径φ２４ｍｍ、厚み１００μｍのＰＣ等からなる補強部１０１aを熱プレスによって一体構造として形成した可撓性光ディスク。内周部の厚さを内周部以外の厚さに比べて大きくすることによって、内周穴部分の補強を行い、形状の変形・破損を防いでいる。【選択図】図１
2007213740.tif 000002
【特許請求の範囲】
【請求項１】
光学設計における基板厚より薄く形成し、情報記録媒体の駆動時における平坦性を保ち、かつ光学設計基準の基板厚さに対して光路差の補正を行う光記録再生装置により情報の記録再生を行う可撓性を有する情報記録媒体であって、該媒体は中央部に開口を有するディスク状の基板であって、前記中央開口端と情報が記録される情報記録領域の間に構造的補強領域を有することを特徴とする光情報記録媒体。
【請求項２】
光学設計における基板厚より薄く形成し、情報記録媒体の駆動時における平坦性を保ち、かつ光学設計基準の基板厚さに対して光路差の補正を行う光記録再生装置により情報の記録再生を行う可撓性を有する光情報記録媒体であって、該媒体は中央部に開口を有するディスク状の基板であって、前記中央開口端と情報が記録される情報記録領域の間に構造的補強領域を有する光情報記録媒体において、前記補強領域は、前記基板の他の領域に比べ、厚みを増すことを特徴とする光情報記録媒体。
【請求項３】
光学設計における基板厚より薄く形成し、情報記録媒体の駆動時における平坦性を保ち、かつ光学設計基準の基板厚さに対して光路差の補正を行う光記録再生装置により情報の記録再生を行う可撓性を有する光情報記録媒体であって、該媒体は中央部に開口を有するディスク状の基板であって、前記中央開口端と情報が記録される情報記録領域の間に構造的補強領域を有する光情報記録媒体において、前記補強領域の材質は、前記情報記録領域の材質強度よりも高い材質を用いることを特徴とする光情報記録媒体。
【請求項４】
光学設計における基板厚より薄く形成し、情報記録媒体の駆動時における平坦性を保ち、かつ光学設計基準の基板厚さに対して光路差の補正を行う光記録再生装置により情報の記録再生を行う可撓性を有する光情報記録媒体であって、該媒体は中央部に開口を有するディスク状の基板であって、前記中央開口端と光情報が記録される情報記録領域の間に構造的補強領域を有し、前記補強領域は、前記基板の他の領域に比べ、厚みの増してある光情報記録媒体において、前記補強領域の材質は、前記基板の、他の領域の材質と同じ、あるいは材質強度の高い材質を用いることを特徴とする光情報記録媒体。
【発明の詳細な説明】
【技術分野】
【０００１】
本発明は、薄型の可撓性を有する情報記録媒体に関し、特に、可撓性光ディスク基板の、内周穴部分の形状の変形や破損を防止できるようにした情報記録媒体に関する。
【背景技術】
【０００２】
従来、重要且つ膨大な量のデータを扱う企業等では、磁気テープやハードディスクのみに頼ったデータ管理システムを採用していた。ところが、磁気テープは、テープ同士の癒着などを防止するための定期的なメンテナンスを行う必要があり、このメンテナンスに高いコストがかかる。また、ハードディスクは、ドライブと磁気記録媒体とが一対となっているため、ドライブが故障するとそのドライブと対になっている磁気記録媒体に記録された情報は再生できなくなる。このため、ドライブの故障に備えてデータをミラーリングしておくなどの対策を行わなければならないが、このような対策を行っていても、ミラーリングされたディスクと元のディスクとが同時に故障してしまった場合や、障害発生時にデータの復旧が完了する前にミラーリングされたディスクが更に故障してしまった場合などには、データの復旧が不可能となってしまう。
【０００３】
そこで、昨今ではメンテナンスが容易で且つ信頼性の高い光記録媒体（光ディスク）を一部利用したデータ管理システムが注目されている。光ディスクを一部利用した管理システムでは、データの書換えが頻繁に行われるデータに関してはハードディスク等を利用し、アクセスは少ないが情報の長期保存が求められるデータに関しては光ディスクを利用するなどの工夫がなされている。光ディスクは、塵埃等による特性劣化さえ防げば基本的にメンテナンスフリーであり、ハードディスクの場合とは異なり、仮に記録再生用のドライブが故障しても光ディスクを別のドライブに移動させれば何ら問題ない。即ち、光ディスクを利用することにより、トラブルシューティングに要する時間を飛躍的に短縮することができるとともに、重要な情報を失う危険性が大幅に低減される。
【０００４】
このように、光ディスクは、メンテナンスが容易で且つ信頼性の高い記録媒体として既に重要な位置を占めるに至っているが、最近の情報通信技術の発達により、更なる取り扱いの容易さの向上や記憶容量の増大に期待が集まっている。ここで、光ディスクの記憶容量を増大するためには、トラック間隔（トラックピッチ）を狭くし且つ記録マークの間隔を狭くする必要がある。しかしながら、トラック間隔や記録マークの間隔がレーザー光のスポット径λ／ＮＡ（λ：レーザー光の波長、ＮＡ：絞り込みレンズの開口数）より小さくなると、１つの光スポット内に複数の記録マークが入ってしまうので、個々の記録マークの識別ができなくなってしまう。即ち、光ディスクの記録容量は、レーザー光の波長と開口数とからその限界が決まっており、特別な方法を取らない限りこの限界を超えて大容量化を図ることは不可能である。
【０００５】
このような上限を超えて光ディスクを大容量化する方法として、光学超解像、磁気超解像方式やスーパーレンズ、ホログラムなどといった様々な試みがなされているが、最も効率的な方法としては、光ディスク基板の厚みを薄くして体積当たりの記録容量を増やすことが挙げられる。例えば、特許文献１〜３に記載されているように、薄型光ディスクと、薄型光ディスクを面ぶれさせずに安定に回転させるためのスタビライザーとを組み合わせた記録再生装置を構成することにより、従来の光ディスクに比べて体積当たりの記録容量が数倍大きい薄型光ディスクの記録再生装置が実現されている。ここで用いられている厚さ１００μｍ程度の薄い基板からなる光ディスクのことを、以下では「フレキシブルディスク」と呼ぶ。
【０００６】
フレキシブルディスクを使用する他の方法として、上記のようにスタビライザーを用いる他に、平面の寸法形状がフレキシブルディスクとほぼ同じである円盤状ガラス板を用いてフレキシブルディスクを支持する方法が挙げられる。上記ガラス板は光学ガラスで作製されており、記録再生用のレーザー光をこのガラス板を介してフレキシブルディスクに照射すると、従来の光ディスクと同様に記録再生が行えるようになっている（つまり、光学補正を行うことにより、従来の光ディスク記録再生装置の光学系との互換性が確保されている）。例えば、ＤＶＤピットパターンが転写された１００μｍ厚の可撓性光ディスクの上に５００μｍ厚の円盤状光学ガラス板をほぼ中心が重なるようにして載せたものを市販のＤＶＤドライブを用いて再生すると、上記の可撓性光ディスク上にピットパターンとして刻まれた情報の再生を行うことが可能であることが確認できる。ここで用いた円盤状光学ガラス板は、フレキシブルディスクを支持するとともに、記録再生用のレーザー光に対して光路差の補正を行うものであるから、以下では「姿勢制御兼光学補正板」と称する。
【０００７】
可撓性光ディスクを用いた記録再生装置においては、後者の姿勢制御兼光学補正板を用いた方法の方がより簡便にシステムを構築することができるので、経済的に有利である。
【０００８】
【特許文献１】特開昭６２−２１２９３５号公報
【特許文献２】特開２００３−３３１５６１号公報
【特許文献３】特開２００３−９１９７０号公報
【発明の開示】
【発明が解決しようとする課題】
【０００９】
しかしながら、上記背景技術で述べた従来の情報記録媒体にあっては、フレキシブルディスクの場合、その厚みが１００μｍ程度の薄い基板であるため、記録再生装置への装填・記録再生動作やそのためのハンドリングを行う際等において、情報記録媒体自体の形状の変形や破損が懸念される。特に、フレキシブルディスクに形成された内周穴部分は、このディスクをハンドリングする際に他と接触する頻度が非常に高くなる。より具体的には、フレキシブルディスクは、保管ケースへの保管や、記録再生装置へのチャッキング等を、何千回、何万回と繰り返されるものであるので、従来は内周穴部分の形状に変化や破損が生じることが多い。
【００１０】
このような内周穴の形状の変化や破損により、フレキシブルディスクの偏心やチルトは増大し、光ピックアップのトラッキングやフォーカシングに影響が出ることとなり、最終的にはフレキシブルディスクへの情報記録や、記録された情報の再生を正常に行うことができなくなってしまう。
【００１１】
本発明は、上記従来の問題を鑑みてなされたものであって、保管ケースと記録再生装置との間の搬送・装填が繰り返されても、内周穴部分の形状に変化や破損が生じることがないフレキシブルディスクによって構成された情報記録媒体を提供することを目的としている。
【課題を解決するための手段】
【００１２】
上記解決課題に鑑みて鋭意研究の結果、本発明者は、フレキシブルディスクの中央の内周穴から情報記録領域の間の基板厚みを厚くし、なおかつ、厚くした箇所の材質を基板の材質より強度の高い材質を用いることにより、フレキシブルディスクの剛性を高め、強度を向上することができると想到した。
【００１３】
すなわち、本発明は、フレキシブルディスクを支持し、光路差を補正する光情報記録再生装置により情報の記録再生を行う可撓性を有する光情報記録媒体であって、中央部に開口を有するディスク状の基板であって、前記開口の縁と光情報が記録される情報記録領域の内側の縁との間に補強領域を有する光情報記録媒体、あるいは前記補強領域の基板厚みは前記情報記録領域の基板厚みより厚い光情報記録媒体、あるいは、その厚くなった領域の材質は前記補強領域以外の領域の材質より材質強度の高い材質を用いることを特徴とする光情報記録媒体を提供するものである。
【００１４】
このように構成することにより、変化や破損が生じ易い基板中央の開口（内周穴）部分の剛性が高くなり、強化されるので、本情報記録媒体に対して保管ケースと記録再生装置との間の搬送が繰り返されても、内周穴部分の形状に変形や破損が生じることが抑止される。
【発明の効果】
【００１５】
以上、説明したように、本発明の情報記録媒体（フレキシブルディスク）によれば、情報領域の部分よりも内周領域の基板厚さを厚く、また、その厚くなった領域の材質は前記補強領域以外の領域の材質より材質強度の高い材質を用いることによって内周穴部分の剛性を高め、強化を向上させ、内周穴の形状の変形・破損による偏心やチルトの増大が抑制しているので、保管ケースへの保管や、記録再生装置へのチャッキング等を何千回、何万回と繰り返される使用環境においても、高信頼性の記録再生性能を維持できる情報記録再生媒体を提供することができる。
【発明を実施するための最良の形態】
【００１６】
以下、添付図面を参照しながら、本発明の情報記録媒体を実施するための最良の形態を詳細に説明する。図１〜図９は、本発明の実施の形態を例示する図であり、これらの図において、同一の符号を付した部分は同一物を表わし、基本的な構成及び動作は同様であるものとする。
【００１７】
本発明の各実施形態において、情報記録媒体は、内周穴部分を補強したフレキシブルディスクであり、可撓性を有するシート材料に光記録膜をスパッタリングすることによって形成したものである。従来のフレキシブルディスクでは、このシートを構成する素材として、例えば、厚さ１００μmのPC（ポリカーボネート）が用いられている。また、前記のPCの他にも、PET（ポリエチレンテレフタレート）やPEN（ポリエチレンナフタレート）などを用いることも可能である。
【００１８】
本発明の情報記録媒体であるフレキシブルディスクは、その基本となる形状として、外径φ１２０ｍｍ、内径φ１５ｍｍとしている。また、本発明の内周穴補強可撓性光ディスクにおける、情報記録領域はφ４８ｍｍ〜φ１１６ｍｍまでの間の環状の領域としている。但し、本発明の情報記録媒体は、前記のフレキシブルディスクの基本となる形状として、光情報を記録再生することが可能な形状であれば、特に外形や内径の大きさ、また、情報記録領域などの制限はしないものとする。
【００１９】
[第１実施形態]
図１は、本発明の第１実施形態に係る情報記録媒体の全体構成を示す構成図であり、下方にその平面図を示し、上方にその側面図を示している。同図に示すように、本発明の第１実施形態に係る情報記録媒体は、フレキシブルディスク１０１から構成され、その中央部に厚みの厚い補強領域１０１aを有する。
【００２０】
フレキシブルディスク１０１は、基板平均厚みが１００μｍのフレキシブルディスク基板に、補強領域１０１aを熱プレスによって一体構造として形成したものである。補強領域１０１aは、内径がφ１５ｍｍ、外径がφ２４ｍｍ、厚みが１００μｍとし、その構成材質はフレキシブルディスクと同じPCとしている。
【００２１】
[第２実施形態]
図２は、本発明の第２実施形態に係る情報記録媒体の全体構成を示す構成図であり、下方にその平面図を示し、上方にその側面図を示している。同図に示すように、本発明の第２実施形態に係る情報記録媒体は、フレキシブルディスク１０２から構成され、その中央部に厚みの厚い補強領域１０２a、１０２bを有する。
【００２２】
フレキシブルディスク１０２は、基板平均厚みが１００μmのフレキシブルディスク基板に、補強領域１０２a、１０２bを熱プレスによって一体構造として形成したものである。補強領域１０１aは、内径がφ１５ｍｍ、外径がφ２４ｍｍ、厚みが１００μｍとし、その構成材質はフレキシブルディスクと同じPCとしている。
【００２３】
[第３実施形態]
図３は、本発明の第３実施形態に係る情報記録媒体の全体構成を示す構成図であり、下方にその平面図を示し、上方にその側面図を示している、同図に示すように、本発明の第３実施形態に係る情報記録媒体は、フレキシブルディスク１０３から構成され、その中央部に厚みの厚い補強領域１０３aを有する。フレキシブルディスク１０３は、基板平均厚みが１００μmのフレキシブルディスク基板に、補強領域１０３aを熱プレスによって一体構造として形成したものである。補強領域１０３aは、内径がφ１５ｍｍ、外径がφ２４ｍｍ、厚みが１００μｍとしているが、その構成素材はフレキシブルディスク１０３の基板と異なり、PET、PEN、PVCなどが使用可能である。一般的に、PETとPENは引っ張り強さや端裂に対しての抵抗はPCより大きく、PVCはPCと同等もしくはそれ以下である。
【００２４】
なお、上記した第１〜第３実施形態におけるフレキシブルディスク１０１、１０２、１０３の構成に関して、フレキシブルディスク１０１、１０２、１０３の情報記録部と、その補強領域とを一体構造として形成する工程は、フレキシブルディスク１０１、１０２、１０３の成形時における熱プレス工程によるものとしているが、本発明の情報記録媒体の製造方法は、特に熱プレス工程に限定されるわけではなく、一体構造として形成できる工程であれば、接着材等を使用する工程としても構わない。
【００２５】
[姿勢制御兼光学補正板]
図４は、本発明の第１〜第３実施形態に係る情報記録媒体を用いて記録再生装置によって情報に記録・再生する場合に使用される姿勢制御兼光学補正板の構造を示す説明図である。同図に示すように、本発明の第１〜第３実施形態に係る情報記録媒体（フレキシブルディスク１０１、１０２、１０３）を用いて情報を記録再生装置によって記録・再生する場合に使用される姿勢制御兼光学補正板２０１は、中心の回りに複数の通気口２０３が形成されている。姿勢制御兼光学補正板２０１は、後述の図５に示すターンテーブル２０２上に設置されている。
【００２６】
記録再生において、姿勢制御兼光学補正板２０１は、本発明の第１〜第３実施形態に係る情報記録媒体（フレキシブルディスク１０１、１０２、１０３）に照射される記録再生用レーザーに対して光路差の補正を行うためのものであり、姿勢制御兼光学補正板２０１を通じて前記フレキシブルディスクに記録再生用レーザーを照射することにより、記録再生を行う。これにより、従来のDVD等の光学系を介して前記フレキシブルディスクを記録再生することが可能になる。
【００２７】
また、前記フレキシブルディスクは、剛性が低く、かつ静電気を持ちやすいため、前記フレキシブルディスクと姿勢制御兼光学補正板２０１のどちらか一方或いは両方が静電気を持っている場合において、フレキシブルディスクが完全に平らになることは無く、本発明の第１〜第３実施形態に係る情報記録媒体（フレキシブルディスク１０１、１０２、１０３）と姿勢制御兼光学補正板２０１との間に、所々、空気が閉じこめられた領域ができる（この現象をエア噛みが生じると言う）。
【００２８】
このような“エア噛み”の発生により、前記フレキシブルディスクには、局所的な面ぶれが発生するので、前期フレキシブルディスクが記録再生装置に装填されて記録再生される際には、その姿勢を安定に制御する必要がある。そのために、前記フレキシブルディスクと姿勢制御兼光学補正板２０１の間には、前記フレキシブルディスクの内周部領域の基板厚さと内周部以外の基板厚さの違いにより生ずるスペースに空気流を送り込み、前記フレキシブルディスクとの間に生じるエア噛みを除去する必要がある。
【００２９】
姿勢制御兼光学補正板２０１には、前記フレキシブルディスクとの間に空気流を送り込むための８つの通気口を設けてある。これにより、前記フレキシブルディスクと姿勢制御兼光学補正板との間に生じるエア噛みを除去することができ、エア噛みによる面ぶれを抑制することが可能である。その結果、前記フレキシブルディスクは、記録再生装置によって正確な情報の記録再生が可能となる。
【００３０】
図５は、本発明の第１〜第３実施形態に係る情報記録媒体を用いて情報を記録・再生する記録再生装置の主要部の１構成例を示す構成図である。同図では、本発明の各実施形態に係る情報記録媒体（フレキシブルディスク１０１、１０２、１０３）のような内周穴部分が強化されたフレキシブルディスクを記録再生装置に装填して情報の記録・再生を行う場合の姿勢制御兼光学補正板２０１部分の構成と機能を示している。なお、符号２０５はクランプを示す。
【００３１】
図５に示すように、フレキシブルディスク１０１を姿勢制御兼光学補正板２０１を有する記録再生装置に装填し、情報を記録・再生する場合には、図の矢印で示すような空気流により、エア噛みが除去される。なお、姿勢制御兼光学補正板２０１に設けられた８つの通気口２０３はエア噛みが除去できる形状の通気口であれば、形状の数は限定しない。
【００３２】
図６は従来の基板厚さが全領域で均一なフレキシブルディスク１０５を用いて情報の記録・再生する記録再生装置の主要部の構成例を示すものである。同図に示すように、従来の、基板厚さが全領域で均一なフレキシブルディスクを記録再生装置に装填して情報の記録・再生を行う場合には、フレキシブルディスク１０５と姿勢制御兼光学補正板２０１との間にスペースを設けるために、内周部にスペーサー２０４を設置する必要があった。しかしながら、図５で示すように、本発明の第１〜第３実施形態に係る情報記録媒体では、前記補強領域が、スペーサー２０４の機能を兼ねることができる効果がある。
【００３３】
なお、前述の第２実施形態で示すディスクの形状は図２の１０２a側を記録再生面側としてもよいし、１０２b側を記録再生面側としても、上記のようなスペーサー２０４の機能を兼ねることが可能である。つまり、基板の表面・裏面の両方に記録膜等が形成されていれば、両面記録再生可能なフレキシブルディスクとして上記記録再生装置を用いた記録再生が可能である。
【００３４】
これらの構成にすることにより、上記記録再生装置への装填・再生動作を繰り返した場合においても、内周穴部分の形状の変形・破損を防ぎ、正常に記録再生動作を行うことが可能である。
【００３５】
以上、本発明の情報記録媒体である内周穴が強化されたフレキシブルディスクについて、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【図面の簡単な説明】
【００３６】
【図１】本発明の第１実施形態に係る情報記録媒体の全体構成を示す構成図であり、下方にその平面図を示し、上方にその側面図を示している。
【図２】本発明の第２実施形態に係る情報記録媒体の全体構成を示す構成図であり、下方にその平面図を示し、上方にその側面図を示している。
【図３】本発明の第３実施形態に係る情報記録媒体の全体構成を示す構成図であり、下方にその平面図を示し、上方にその側面図を示している。
【図４】本発明の第１〜第３実施形態に係る情報記録媒体を用いて記録再生装置によって情報を記録・再生する場合に使用される姿勢制御兼光学補正板の構造を示す説明図である。
【図５】本発明の第１〜第３実施形態に係る情報記録媒体を用いて情報を記録・再生する記録再生装置の主要部の他の構成例を示す構成図である。
【図６】フレキシブルディスク（従来技術）を用いて情報を記録・再生する記録再生装置の主要部の１構成例を示す構成図である。
【符号の説明】
【００３７】
１０１〜１０４  フレキシブルディスク（本発明）
１０５          フレキシブルディスク（従来技術）
１０１a         強化部（ディスク１）
１０２a、b      強化部（ディスク２）
１０３a         強化部（ディスク３）
２０１          姿勢制御兼光学補正板
２０２          ターンテーブル
２０３          通気口
２０４          スペーサー
２０５          クランプ
【図１】
2007213740.tif 000003
【図２】
2007213740.tif 000004
【図３】
2007213740.tif 000005
【図４】
2007213740.tif 000006
【図５】
2007213740.tif 000007
【図６】
2007213740.tif 000008